(57)【要約】【課題】アラーム機能を普段通り使用するだけで、目覚めのときにＡＶ機器の電源が入って二度寝を抑制するリモコン送信機付目覚まし時計を提供することである。【解決手段】リモコン送信機付目覚まし時計１０は、時計１１と、アラームを鳴らすスピーカ１２と、アラームのオン／オフを設定するためのアラームオン／オフ設定ボタン１３ａとアラームの時刻を調整するための時刻調整ボタン１３ｂとアラームの停止を指示するためのアラーム停止ボタン１３ｃとを有する操作部１３と、テレビの電源をオンにするパワーオンコマンド及びテレビの音量を上げるボリュームアップコマンドを記憶したメモリ１４と、メモリ１４から読み出したコマンドを送信する発光部１５とを備え、アラーム停止ボタン１３ｃが操作されてアラームの停止指示が入力されることによってアラームが停止する際に、パワーオンコマンドを送信する。【選択図】図１
2008076062.tif 000002
【特許請求の範囲】
【請求項１】
時計と、アラームを鳴らすスピーカと、アラームのオン／オフを設定するためのアラームオン／オフ設定ボタンとアラームの時刻を調整するための時刻調整ボタンとアラームの停止を指示するためのアラーム停止ボタンとを有する操作部と、テレビの電源をオンにするパワーオンコマンド及びテレビの音量を上げるボリュームアップコマンドを記憶したメモリと、該メモリから読み出したコマンドを送信する発光部とを備え、前記アラーム停止ボタンが操作されてアラームの停止指示が入力されることによってアラームが停止する際に、パワーオンコマンドを送信し、続いて、ボリュームアップコマンドを所定回数送信するリモコン送信機付目覚まし時計と、
前記発光部から送信されたコマンドを受信する受光部を備え、前記パワーオンコマンドを受信したとき、電源がオフの場合にのみオンにして出力を開始するテレビと、からなることを特徴とするＡＶシステム。
【請求項２】
時計と、アラームを鳴らすアラーム出力部と、アラームのオン／オフ及びアラームの時刻調整及びアラームの停止指示が入力される操作部と、ＡＶ機器の電源をオンにするパワーオンコマンドを記憶したメモリと、該メモリから読み出したコマンドを送信する発光部とを備え、
アラームが停止する際にパワーオンコマンドを送信することを特徴とするリモコン送信機付目覚まし時計。
【請求項３】
前記操作部が操作されてアラームの停止指示が入力されることによって前記アラームが停止することを特徴とする請求項２記載のリモコン送信機付目覚まし時計。
【請求項４】
アラーム開始時刻から所定時間が経過することによって前記アラームが停止することを特徴とする請求項２記載のリモコン送信機付目覚まし時計。
【請求項５】
前記メモリがＡＶ機器の音量を上げるボリュームアップコマンドを記憶しており、
前記パワーオンコマンドの送信に続いて、ボリュームアップコマンドを所定回数送信することを特徴とする請求項２〜４の何れかに記載のリモコン送信機付目覚まし時計。
【請求項６】
時計と、アラームを鳴らすアラーム出力部と、アラームのオン／オフ及びアラームの時刻調整及びアラームの停止指示が入力される操作部と、ＡＶ機器の電源をオンにするパワーオンコマンドを記憶したメモリと、該メモリから読み出したコマンドを送信する発光部とを備え、アラームが停止する際にパワーオンコマンドを送信するリモコン送信機付目覚まし時計と、
前記発光部から送信されたコマンドを受信する受光部を備え、前記パワーオンコマンドを受信したとき、電源がオフの場合にのみオンにして出力を開始するＡＶ機器と、からなることを特徴とするＡＶシステム。
【請求項７】
前記リモコン送信機付目覚まし時計の前記操作部が操作されてアラームの停止指示が入力されることによって前記アラームが停止することを特徴とする請求項６記載のＡＶシステム。
【請求項８】
前記リモコン送信機付目覚まし時計は、アラーム開始時刻から所定時間が経過することによって前記アラームが停止することを特徴とする請求項６記載のＡＶシステム。
【請求項９】
前記リモコン送信機付目覚まし時計の前記メモリが前記ＡＶ機器の音量を上げるボリュームアップコマンドを記憶しており、
前記リモコン送信機付目覚まし時計は、前記パワーオンコマンドの送信に続いて、ボリュームアップコマンドを所定回数送信することを特徴とする請求項６〜８の何れかに記載のＡＶシステム。
【発明の詳細な説明】
【技術分野】
【０００１】
本発明は、目覚まし時計にＡＶ機器のリモコン機能をもたせたリモコン送信機付目覚まし時計と、リモコン送信機付目覚まし時計及びＡＶ機器からなるＡＶシステムとに関する。
【背景技術】
【０００２】
朝、目が覚めたときに音楽を聴いたり、テレビを見たりする習慣をもつ人が多く存在する。そのニーズに応えて、タイマー起動可能なＡＶ機器が提供されている。これはタイマー機能を利用してユーザが所望の時刻をセットしておくと、その時刻になったときＡＶ機器の電源がオンになるものである。この機能は目覚まし時計のアラーム代わりに使用されることが多い。
【０００３】
しかしながら、ＡＶ機器のタイマー機能は付加的なものであるため、その設定操作は煩雑であった。したがって、操作に慣れていないユーザは敬遠しがちであった。そこで、目覚まし時計代わりにＡＶ機器を使用する様々な工夫が提案されている。
【０００４】
特許文献１には、目覚まし時計に天井灯及びテレビのリモコン機能をもたせたものが開示されている。
【０００５】
また特許文献２には、リモコン送信機に音センサを備え、近傍で目覚まし時計の音がしたことを検知すると、ＡＶ機器の電源をオンにするコードを送信してＡＶ機器をオンにすることが開示されている。
【特許文献１】特開２００２−７８０３５号公報
【特許文献２】実開平５−４３６９０号公報
【発明の開示】
【発明が解決しようとする課題】
【０００６】
しかしながら、特許文献１は、単に目覚まし時計とリモコンを組み合わせたものであり、組み合わせによる新たな効果は特にない。つまり、ユーザは、目覚まし時計のアラームで目覚め、そのアラームを止め、続いて目覚まし時計に配設されたリモコンスイッチを押してテレビの電源をオンにするという通常の動作を行わなければならない。
【０００７】
また特許文献２では、リモコン送信機が音に反応するため、目覚まし時計以外の音に対しても反応するおそれがあり、意図しない時間にＡＶ機器の電源がオンになる可能性があり、使い勝手が悪い。
【０００８】
本発明は、目覚まし時計のアラーム機能を普段通り使用するだけで、目覚めのときにＡＶ機器の電源が入って二度寝を抑制するリモコン送信機付目覚まし時計を提供することを目的とする。また、そのリモコン送信機付目覚まし時計とＡＶ機器とからなるＡＶシステムを提供することも目的とする。
【課題を解決するための手段】
【０００９】
上記目的を達成するために本発明のリモコン送信機付目覚まし時計は、時計と、アラームを鳴らすアラーム出力部と、アラームのオン／オフ及びアラームの時刻調整及びアラームの停止指示が入力される操作部と、ＡＶ機器の電源をオンにするパワーオンコマンドを記憶したメモリと、該メモリから読み出したコマンドを送信する発光部とを備え、
アラームが停止する際にパワーオンコマンドを送信することを特徴とする。
【００１０】
上記のリモコン送信機付目覚まし時計において、前記操作部が操作されてアラームの停止指示が入力されることによって前記アラームが停止する構成を採用してもよい。
【００１１】
また上記のリモコン送信機付目覚まし時計において、アラーム開始時刻から所定時間が経過することによって前記アラームが停止する構成を採用してもよい。
【００１２】
また上記のリモコン送信機付目覚まし時計において、前記メモリがＡＶ機器の音量を上げるボリュームアップコマンドを記憶しており、
前記パワーオンコマンドの送信に続いて、ボリュームアップコマンドを所定回数送信する構成としてもよい。
【００１３】
また本発明のＡＶシステムは、時計と、アラームを鳴らすアラーム出力部と、アラームのオン／オフ及びアラームの時刻調整及びアラームの停止指示が入力される操作部と、ＡＶ機器の電源をオンにするパワーオンコマンドを記憶したメモリと、該メモリから読み出したコマンドを送信する発光部とを備え、アラームが停止する際にパワーオンコマンドを送信するリモコン送信機付目覚まし時計と、
前記発光部から送信されたコマンドを受信する受光部を備え、前記パワーオンコマンドを受信したとき、電源がオフの場合にのみオンにして出力を開始するＡＶ機器と、からなることを特徴とする。
【００１４】
上記のＡＶシステムにおいて、前記リモコン送信機付目覚まし時計の前記操作部が操作されてアラームの停止指示が入力されることによって前記アラームが停止する構成を採用してもよい。
【００１５】
また上記のＡＶシステムにおいて、前記リモコン送信機付目覚まし時計は、アラーム開始時刻から所定時間が経過することによって前記アラームが停止する構成を採用してもよい。
【００１６】
また上記のＡＶシステムにおいて、前記リモコン送信機付目覚まし時計の前記メモリが前記ＡＶ機器の音量を上げるボリュームアップコマンドを記憶しており、
前記リモコン送信機付目覚まし時計は、前記パワーオンコマンドの送信に続いて、ボリュームアップコマンドを所定回数送信する構成としてもよい。
【００１７】
そして本発明のＡＶシステムを具体化すると、時計と、アラームを鳴らすスピーカと、アラームのオン／オフを設定するためのアラームオン／オフ設定ボタンとアラームの時刻を調整するための時刻調整ボタンとアラームの停止を指示するためのアラーム停止ボタンとを有する操作部と、テレビの電源をオンにするパワーオンコマンド及びテレビの音量を上げるボリュームアップコマンドを記憶したメモリと、該メモリから読み出したコマンドを送信する発光部とを備え、前記アラーム停止ボタンが操作されてアラームの停止指示が入力されることによってアラームが停止する際に、パワーオンコマンドを送信し、続いて、ボリュームアップコマンドを所定回数送信するリモコン送信機付目覚まし時計と、
前記発光部から送信されたコマンドを受信する受光部を備え、前記パワーオンコマンドを受信したとき、電源がオフの場合にのみオンにして出力を開始するテレビと、からなる構成となる。
【発明の効果】
【００１８】
本発明によれば、リモコン送信機付目覚まし時計のアラーム機能を普段通り使用するだけで、アラームが鳴って停止すると続けてＡＶ機器の電源がオンになるので、アラームだけでは起きられないユーザの二度寝を抑制することができる。
【発明を実施するための最良の形態】
【００１９】
図１は、ＡＶシステムの構成を示すブロック図である。ＡＶ機器としてテレビを例に示している。このＡＶシステムは、目覚まし時計にテレビのリモコン機能をもたせたリモコン送信機付目覚まし時計１０と、テレビ２０とから構成される。
【００２０】
リモコン送信機付目覚まし時計１０は、時計１１と、アラーム出力部であるスピーカ１２と、操作部１３と、メモリ１４と、発光部１５と、各部を制御する制御部１６とを備えている。
【００２１】
時計１１は、時刻を刻み現在の時刻を表示するものであれば、デジタル方式又はアナログ方式のどちらを採用してもよい。スピーカ１２はメモリ１４に記憶された音源に基づいてアラームを鳴らすが、スピーカ１２の代わりにベルなどを用いてもよく、アラームを出力することができるものであれば用いることができる。
【００２２】
操作部１３は、時刻調整やアラーム設定のためにユーザによって操作されるボタンや切換スイッチなどからなる。本発明で使用されるものとしては、アラームのオン／オフを設定するためのアラームオン／オフ設定ボタン１３ａと、アラームの時刻を調整するための時刻調整ボタン１３ｂと、アラームの停止を指示するためのアラーム停止ボタン１３ｃとがある。
【００２３】
メモリ１４は、テレビ２０の電源をオンにするパワーオンコマンド及びテレビ２０の音量を上げるボリュームアップコマンドを記憶している。これらのコマンドはメーカーの異なる各種テレビに対応して複数記憶させておくことが望ましく、その場合、どのメーカーのテレビを使っているかをユーザが指定することで、どのコマンドを用いればよいかが決定する。
【００２４】
発光部１５は、赤外光などを発光するＬＥＤからなり、各コマンドに対応した波形の赤外光を発光する。ここでは、発光部１５によって、メモリ１４から読み出したパワーオンコマンド又はボリュームアップコマンドが送信される。なお、発光部１５は、リモコン送信機付目覚まし時計１０のどこに配設してもよく、少なくともテレビ２０の方向へ発光するように広範囲に発光するものが望ましい。また発光部１５は広範囲に発光するように複数設けてもよい。
【００２５】
一方、テレビ２０は、受信部２１と、音声検波回路２２と、映像検波回路２３と、スピーカ２４と、モニタ２５と、メモリ２６と、受光部２７と、各部を制御する制御部２８とを備えている。
【００２６】
放送局から送られてくる放送電波をアンテナが受信し、受信部２１は、その放送電波の中から所望の放送番組を選局して受信するチューナとしての機能を有している。受信部２１は、受信した放送電波のうち映像信号及び音声信号を抽出して、映像信号及び音声信号をそれぞれ映像検波回路２３及び音声検波回路２２に出力する。
【００２７】
音声検波回路２２は、受信部２１から入力された映像信号及び音声信号のうち音声信号を検波して、この音声信号を増幅回路（不図示）により増幅してスピーカ２４へ出力する。映像検波回路２３は、受信部２１から入力された映像信号及び音声信号のうち映像信号を検波して、この映像信号を増幅回路（不図示）により増幅してモニタ２５へ出力する。
【００２８】
メモリ２６は、テレビ２０の電源をオンにするパワーオンコマンド及びテレビ２０の音量を上げるボリュームアップコマンドを記憶している。受光部２７はテレビの前面に設けられ、リモコン（不図示）の発光部やリモコン送信機付目覚まし時計１０の発光部１５からの赤外光を受光する。
【００２９】
なお、テレビ２０は電源がオンになると、自動的に前回オフにした時点で受信していたチャンネルを受信して前回オフにした時点の音量で出力を開始する。
【００３０】
次に、このＡＶシステムの動作について説明する。図２は、リモコン送信機付目覚まし時計１０の動作を示すフローチャートである。フローチャートは、ユーザが就寝前にアラームの設定を行い、翌朝アラームが鳴ってユーザが停止させるまでの動作を示している。
【００３１】
まず、ステップＳ１０において、時刻調整ボタン１３ｂが操作されてアラームの時刻が調整され、さらにアラームオン／オフ設定ボタン１３ａが操作されてアラームがオンに設定されると、ステップＳ１１へ進んでアラームの設定時刻になるまで待機する。
【００３２】
そして、アラームの設定時刻になると、ステップＳ１２へ進んでスピーカ１２からアラームを鳴らす。続いてステップＳ１３へ進んでアラーム停止ボタン１３ｃが押下されたか否かを判定する。ほとんどのユーザはアラームで目覚めてアラーム停止ボタン１３ｃを押下する。そうすると、ステップＳ１３からステップＳ１４へ進んでアラームを停止させ、ステップＳ１５へ進んでメモリ１４からパワーオンコマンドを読み出し、ステップＳ１６へ進んで発光部１５からパワーオンコマンドを送信する。
【００３３】
それを、テレビ２０の受光部２７が受信すると、電源オンの指示があったと判断してテレビ２０の電源をオンにし、前回オフにした時点で受信していたチャンネルを受信して前回オフにした時点の音量で出力を開始する。
【００３４】
一方、ステップＳ１３においてアラーム停止ボタン１３ｃが押下されなかった場合は、ステップＳ１７へ進んでアラーム開始時刻から所定時間経過したか否かを判定する。所定時間はアラームに反応してユーザが起きないと判断できる時間を想定し、数分間とすればよく、例えば５分間とすることができる。
【００３５】
ステップＳ１７において所定時間経過した場合は、ステップＳ１８へ進んでアラームを停止させ、ステップＳ１９へ進んでメモリ１４からパワーオンコマンドを読み出し、ステップＳ２０へ進んで発光部１５からパワーオンコマンドを送信する。続いて、ステップＳ２１へ進んでメモリ１４からボリュームアップコマンドを読み出し、ステップＳ２２へ進んで発光部１５からボリュームアップコマンドを所定回数だけ送信する。ここでの所定回数は、２、３回が好ましく、通常テレビ２０を視聴する音量よりも若干大きくなる程度がよい。なお、ボリュームアップコマンドを送信する間隔は、数分間隔にしてもよい。そうすれば二度寝しているユーザは音量が上がるにつれて起きる確率が高くなる。
【００３６】
なお、ステップＳ１６の後は、ステップＳ２１へ進むようにしてもよい。また、ステップＳ１８〜Ｓ２２をなくし、ステップＳ１７からステップＳ１４へ進むようにしてもよい。また、ステップＳ１９〜Ｓ２２は必ずしも必要ではない。
【００３７】
以上のように、リモコン送信機付目覚まし時計１０のアラーム機能を普段通り使用するだけで、アラームが鳴って停止すると続けてテレビ２０の電源がオンになるので、アラームだけでは起きられないユーザの二度寝を抑制することができる。
【００３８】
なお、アラームが鳴っていないときにアラーム停止ボタン１３ｃを押下してもパワーオンコマンドは送信しないように制御することが望ましい。これにより、アラームを止めたユーザが再びアラーム停止ボタン１３ｃを押下した場合でもテレビ２０の電源がオフになることを防止でき、より効果的に二度寝を抑制できる。
【００３９】
また、上記の実施形態で用いているパワーオンコマンドは、一般的にＡＶ機器で採用されているコマンドであり、通常、電源をオフにするパワーオフコマンドと共通である。リモコン送信機付目覚まし時計１０は、一般的なパワーオンコマンドを採用することで安価に提供でき、どのメーカーのＡＶ機器にも対応できるという利点がある。
【００４０】
ところで、テレビ２０の電源がオフの場合にのみオンにする、つまり、テレビ２０の電源がオフの場合はオンにし、オンの場合はオンの状態を維持する、という特殊なパワーオンコマンドを採用してもよい。この場合、テレビ２０にこの特殊なパワーオンコマンドに対する処理を組み込んでおく必要がある。そして、この特殊なパワーオンコマンドを受信したテレビ２０は、電源がオンであるか否かを判定し、オフの場合はオンにし、一方、オンの場合は何の処理もしないように制御すればよい。
【００４１】
このように、特殊なパワーオンコマンドを採用すれば、リモコン送信機付目覚まし時計１０のアラームが鳴っているとき既にテレビ２０の電源が入っている場合でも、アラームの停止時にリモコン送信機付目覚まし時計１０は特殊なパワーオンコマンドを送信するので、テレビ２０の電源がオフになることを防止できる。したがって、アラーム停止後に確実にテレビ２０がオンになっているので使い勝手が向上する。また、テレビ２０とリモコン送信機付目覚まし時計１０をセットで販売すれば付加価値の向上につながる。
【産業上の利用可能性】
【００４２】
本発明のＡＶシステムに用いるＡＶ機器としては、テレビのほか、ＣＤ、ＭＤ、ＤＶＤなどの音声や映像を記録した記録媒体の再生装置やラジオなどが考えられる。
【図面の簡単な説明】
【００４３】
【図１】本発明のＡＶシステムの構成を示すブロック図である。
【図２】本発明のリモコン送信機付目覚まし時計の動作を示すフローチャートである。
【符号の説明】
【００４４】
１０    リモコン送信機付目覚まし時計
１１    時計
１２    スピーカ
１３    操作部
１３ａ    アラームオン／オフ設定ボタン
１３ｂ    時刻調整ボタン
１３ｃ    アラーム停止ボタン
１４    メモリ
１５    発光部
２０    テレビ
２７    受光部
【図１】
2008076062.tif 000003
【図２】
2008076062.tif 000004